(57)【特許請求の範囲】
【請求項１】
モップバケツと、モップロッドと、を備える清掃用具であって、
前記モップロッドの下端に、ワイピング部品を装着可能なモップヘッドが設けられ、
前記モップロッドは、互いにスリーブ接続する内ロッドと外ロッドとを有し、前記内ロッドと前記外ロッドとの間に前記モップロッドの伸縮運動を前記モップロッドの回転運動に変えるための駆動機構が設けられ、
前記モップバケツは１つ又は複数の容積体を有し、回転可能な脱水フレームを更に含み、少なくとも１つの前記容積体内に回転可能な前記脱水フレームが設けられ、前記脱水フレームの中央に中軸が設けられ、脱水時に前記モップヘッドが前記脱水フレーム内に置かれ、前記モップヘッドが回転することで、前記モップヘッドに装着された前記ワイピング部品が遠心脱水される清掃用具において、
前記モップバケツには更に吸い上げ装置が設けられ、前記吸い上げ装置の吸水口は回転可能な前記脱水フレームの下方に位置し、脱水時に前記吸い上げ装置が前記駆動機構によって駆動され、前記脱水フレームが取り付けられている容積体内の水を排出することを特徴とする、
清掃用具。
【請求項２】
前記吸い上げ装置が、羽根車ポンプ、歯車ポンプ、又は容積ポンプであることを特徴とする、
請求項１に記載の清掃用具。
【請求項３】
前記駆動機構は、底面に主動歯車が設けられた前記脱水フレームを回転駆動し、
前記吸い上げ装置は、羽根車ポンプであり、前記羽根車ポンプは、外部に連通するポンプチャンバーを有し前記脱水フレームが取り付けられた前記容積体内に位置するポンプ本体を含み、前記ポンプチャンバー内に羽根車を有し、前記羽根車の中心にはポンプシャフトが設けられ、前記ポンプシャフトのヘッド部は前記ポンプ本体の上端面まで延び、前記ポンプシャフトのヘッド部には従動歯車が設けられ、前記従動歯車が前記主動歯車と噛み合う、
ことを特徴とする、
請求項２に記載の清掃用具。
【請求項４】
前記駆動機構は、前記中軸を回転駆動し、前記中軸には歯車スリーブが設けられ、前記歯車スリーブには主動歯車が設けられ、
前記吸い上げ装置は、羽根車ポンプであり、前記羽根車ポンプは、外部に連通するポンプチャンバーを有し前記脱水フレームが取り付けられた前記容積体内に位置するポンプ本体を含み、前記ポンプチャンバー内に羽根車を有し、前記羽根車の中心にはポンプシャフトが設けられ、前記ポンプシャフトのヘッド部は前記ポンプ本体の上端面まで延び、前記ポンプシャフトのヘッド部には従動歯車が設けられ、前記従動歯車が前記主動歯車と噛み合う、
ことを特徴とする、
請求項２に記載の清掃用具。
【請求項５】
前記中軸のヘッド部はヘッドスリーブで覆われ、前記駆動機構は前記ヘッドスリーブを回転駆動し、前記ヘッドスリーブに下向きに歯車スリーブが設けられ、前記歯車スリーブに主動歯車が設けられ、
前記吸い上げ装置は、羽根車ポンプであり、前記羽根車ポンプは、外部に連通するポンプチャンバーを有し前記脱水フレームが取り付けられた前記容積体内に位置するポンプ本体を含み、前記ポンプチャンバー内に羽根車を有し、前記羽根車の中心にはポンプシャフトが設けられ、前記ポンプシャフトのヘッド部は前記ポンプ本体の上端面まで延び、前記ポンプシャフトのヘッド部には従動歯車が設けられ、前記従動歯車が前記主動歯車と噛み合う、
ことを特徴とする、
請求項２に記載の清掃用具。
【請求項６】
前記駆動機構は前記脱水フレームを回転駆動し、前記吸い上げ装置は、前記脱水フレームの底面に設けられたスレッドブッシュを含み、前記中軸の外側は前記スレッドブッシュで覆われ、前記スレッドブッシュの外側は更に吸い上げスリーブで覆われ、前記吸い上げスリーブの下端は前記モップバケツと接続され、
前記吸い上げスリーブには、前記脱水フレームの下方に位置する吸い上げ孔が設けられる、
ことを特徴とする、
請求項１に記載の清掃用具。
【請求項７】
前記駆動機構は前記中軸を回転駆動し、前記吸い上げ装置は、前記中軸に設けられたスレッドブッシュを含み、前記スレッドブッシュの外側は更に吸い上げスリーブで覆われ、前記吸い上げスリーブの下端は前記モップバケツと接続され、
前記吸い上げスリーブには、前記脱水フレームの下方に位置する吸い上げ孔が設けられる、
ことを特徴とする、
請求項１に記載の清掃用具。
【請求項８】
前記中軸のヘッド部はヘッドスリーブで覆われ、前記駆動機構は前記ヘッドスリーブを回転駆動し、
前記吸い上げ装置は、前記ヘッドスリーブに下向きに設けられたスレッドブッシュを含み、前記スレッドブッシュの外側は更に吸い上げスリーブで覆われ、前記吸い上げスリーブの下端は前記モップバケツと接続され、
前記吸い上げスリーブには、前記脱水フレームの下方に位置する吸い上げ孔が設けられる、
ことを特徴とする、
請求項１に記載の清掃用具。
【請求項９】
洗浄バケツを更に含み、前記洗浄バケツ内には洗浄カゴが設けられ、前記洗浄カゴの中央には洗浄回転軸が設けられ、前記洗浄カゴが前記洗浄回転軸によって前記洗浄バケツ内に取り付けられることを特徴とする、
請求項１から８のいずれか１項に記載の清掃用具。
【請求項１０】
洗浄脱水バケツを更に含み、前記洗浄脱水バケツ内に脱水フレームと吸い上げ装置とが設けられ、
前記モップバケツの前記吸い上げ装置は、前記洗浄脱水バケツ内に水を排出することが可能で、前記洗浄脱水バケツの前記吸い上げ装置は、脱水フレームが取り付けられている容積体内に水を排出することが可能である、
ことを特徴とする、
請求項１から８のいずれか１項に記載の清掃用具。
【請求項１１】
モップバケツと、モップロッドと、を備える清掃用具であって、
前記モップロッドの下端に、ワイピング部品を装着可能なモップヘッドが設けられ、
前記モップロッドは、互いにスリーブ接続する内ロッドと外ロッドとを有し、前記内ロッドと前記外ロッドとの間に前記モップロッドの伸縮運動を前記モップロッドの回転運動に変えるための駆動機構が設けられ、
前記モップバケツは１つ又は複数の容積体を有し、回転可能な脱水フレームを更に含み、少なくとも１つの前記容積体内に回転可能な前記脱水フレームが設けられ、前記脱水フレームの中央に中軸が設けられ、脱水時に前記モップヘッドが前記脱水フレーム内に置かれ、前記モップヘッドが回転することで、前記モップヘッドに装着された前記ワイピング部品が遠心脱水される清掃用具において、
前記モップバケツには更に吸い上げポンプが設けられ、前記吸い上げポンプの吸水口は回転可能な前記脱水フレームの下方に位置し、前記モップバケツに、前記吸い上げポンプを作動させるか否かを制御するスイッチが設けられ、前記吸い上げポンプが作動すると、前記脱水フレームが取り付けられている前記容積体内の水が排出され、
洗浄バケツを更に含み、前記洗浄バケツ内には洗浄カゴが設けられ、前記洗浄カゴの中央には洗浄回転軸が設けられ、前記洗浄カゴは前記洗浄回転軸によって前記洗浄バケツ内に取り付けられることを特徴とする、
清掃用具。
【請求項１２】
モップバケツと、モップロッドと、を備える清掃用具であって、
前記モップロッドの下端に、ワイピング部品を装着可能なモップヘッドが設けられ、
前記モップロッドは、互いにスリーブ接続する内ロッドと外ロッドとを有し、前記内ロッドと前記外ロッドとの間に前記モップロッドの伸縮運動を前記モップロッドの回転運動に変えるための駆動機構が設けられ、
前記モップバケツは１つ又は複数の容積体を有し、回転可能な脱水フレームを更に含み、少なくとも１つの前記容積体内に回転可能な前記脱水フレームが設けられ、前記脱水フレームの中央に中軸が設けられ、脱水時に前記モップヘッドが前記脱水フレーム内に置かれ、前記モップヘッドが回転することで、前記モップヘッドに装着された前記ワイピング部品が遠心脱水される清掃用具において、
前記モップバケツには更に吸い上げポンプが設けられ、前記吸い上げポンプの吸水口は回転可能な前記脱水フレームの下方に位置し、前記モップバケツに、前記吸い上げポンプを作動させるか否かを制御するスイッチが設けられ、前記吸い上げポンプが作動すると、前記脱水フレームが取り付けられている前記容積体内の水が排出され、
洗浄脱水バケツを更に含み、前記洗浄脱水バケツ内に脱水フレームと、吸い上げポンプと、スイッチとが設けられ、
前記モップバケツの吸い上げポンプは、前記洗浄脱水バケツ内に水を排出することが可能で、前記洗浄脱水バケツの吸い上げポンプは、前記脱水フレームが取り付けられている前記容積体内に水を排出することが可能であることを特徴とする、
清掃用具。
【請求項１３】
モップバケツと、モップロッドと、を有する清掃用具であって、
前記モップロッドの下端に、ワイピング部品を装着可能なモップヘッドが設けられ、
前記モップロッドは、互いにスリーブ接続する内ロッドと外ロッドとを有し、前記内ロッドと前記外ロッドとの間に前記モップロッドの伸縮運動を前記モップロッドの回転運動に変えるための駆動機構が設けられた清掃用具において、
前記モップバケツは１つ又は複数の容積体を有し、少なくとも１つの前記容積体内に回転軸が設けられ、前記回転軸に回転盤が設けられ、脱水時に前記モップヘッドが前記回転軸の上端に置かれ、前記モップヘッドが回転することで、前記モップヘッドに装着された前記ワイピング部品が遠心脱水され、前記回転盤には前記モップヘッドに対抗するストッパーバーが設けられ、前記モップヘッドによって前記回転盤が回転駆動され、
前記モップバケツに更に吸い上げ装置が設けられ、前記モップヘッドが前記回転軸の上端に置かれる時、前記吸い上げ装置の吸水口は前記モップヘッドの下方に位置し、前記吸い上げ装置は脱水時に前記回転盤によって駆動され、前記回転軸が設けられている前記容積体内の水を排出することを特徴とする、
清掃用具。
【請求項１４】
モップバケツと、モップロッドとを有する清掃用具であって、
前記モップロッドの下端に、ワイピング部品を装着可能なモップヘッドが設けられ、
前記モップロッドは、互いにスリーブ接続する内ロッドと外ロッドとを有し、前記内ロッドと前記外ロッドとの間に前記モップロッドの伸縮運動を前記モップロッドの回転運動に変えるための駆動機構が設けられた清掃用具において、
前記モップバケツは１つ又は複数の容積体を有し、少なくとも１つの前記容積体内に回転軸が設けられ、前記回転軸の上端がヘッドスリーブで覆われ、脱水時に前記モップヘッドが前記ヘッドスリーブに置かれ、前記モップヘッドが回転することで、前記モップヘッドに装着された前記ワイピング部品が遠心脱水され、前記駆動機構によって前記ヘッドスリーブが回転駆動され、
前記モップバケツには更に吸い上げ装置が設けられ、前記モップヘッドが前記ヘッドスリーブに置かれる時、前記吸い上げ装置の吸水口は前記モップヘッドの下方に位置し、前記吸い上げ装置は脱水時に前記ヘッドスリーブによって駆動され、前記回転軸が設けられている前記容積体内の水を排出することを特徴とする、
清掃用具。
【請求項１５】
モップバケツと、モップロッドと、を有する清掃用具であって、
前記モップロッドの下端に、ワイピング部品を装着可能なモップヘッドが設けられ、
前記モップロッドは、互いにスリーブ接続する内ロッドと外ロッドとを有し、前記内ロッドと前記外ロッドとの間に前記モップロッドの伸縮運動を前記モップロッドの回転運動に変えるための駆動機構が設けられた清掃用具において、
前記モップバケツは１つ又は複数の容積体を有し、少なくとも１つの前記容積体内に回転軸が設けられ、脱水時に前記モップヘッドが前記回転軸の上端に置かれ、前記モップヘッドが回転することで、前記モップヘッドに装着された前記ワイピング部品が遠心脱水され、前記駆動機構によって前記回転軸が回転駆動され、
前記モップバケツには更に吸い上げ装置が設けられ、前記モップヘッドが前記回転軸の上端に置かれる時、前記吸い上げ装置の吸水口は前記モップヘッドの下方に位置し、前記吸い上げ装置は脱水時に前記回転軸によって駆動され、前記回転軸が設けられる前記容積体内の水を排出することを特徴とする、
清掃用具。
【発明の詳細な説明】
【技術分野】
【０００１】
本発明は、清掃用具に関する。
【背景技術】
【０００２】
手押し式回転丸型モップ（すなわち、モップヘッドが円形である）の一般的な構造は、モップバケツとモップロッドとを有し、モップロッドの下端にワイピング部品を装着可能なモップヘッドが設けられ、モップロッドは互いにスリーブ接続する内ロッドと外ロッドとを有し、内ロッドと外ロッドとの間にモップロッドの伸縮運動を内ロッドの回転運動に変えるための駆動機構が設けられ、モップバケツ内に回転可能な脱水フレームがあり、脱水フレームの中央に中軸が設けられ、脱水時にモップヘッドが脱水フレームに置かれ、モップヘッドが回転によって脱水されるというものである。
【０００３】
手押し式回転丸型モップは、使用するのに比較的便利であるものの、使用時にはフラットモップ（すわなち、モップヘッドが平板状である）ほど便利ではない。特に隅などをきれいにする際や壁に沿って掃除する際、丸型モップでは不便である。従来技術の中にも、例えば中国実用新案登録第２０１３２０２７５１５０.４号などにより開示されているようなフラットモップ製品がある。
【０００４】
しかしながら、現在の市場では丸型モップが未だ主流である。その主な理由は、フラットモップは脱水する際、折り畳む必要があり、折り畳んだフラットモップのモップヘッドには、ある程度の高さが生じてしまうため、フラットモップを振り乾かそうとすると、折り畳んだフラットモップのモップヘッドを格納するため脱水カゴを高くする必要があることにある。また、脱水カゴを格納するとともに、脱水カゴの下方にある程度のスペースを設けて振り落とした水を収容する必要があるため、バケツ本体もそれに応じて高さを高くする必要がある。そのため、フラットモップのモップヘッドを少し長く作る代償として、バケツ本体の高さが高くなり、モップバケツが巨大となり、使用するのに非常に不便になってしまう。したがって、上市されるフラットモップは、バケツ本体の体積を減らすため、フラットモップの長さを犠牲にせざるを得ない。
【発明の概要】
【発明が解決しようとする課題】
【０００５】
従来の清掃用具にある上記の欠点を解消するため、本発明では、長いフラットモップのモップヘッドが使用可能でありながら、バケツ本体のサイズが小さい清掃用具を提供する。
【課題を解決するための手段】
【０００６】
本発明が技術的課題を解決するための技術的思想は、次の通りである。
【０００７】
モップバケツと、モップロッドと、を備える清掃用具であって、
前記モップロッドの下端に、ワイピング部品を装着可能なモップヘッドが設けられ、
前記モップロッドは、互いにスリーブ接続する内ロッドと外ロッドとを有し、前記の内ロッドと外ロッドとの間にモップロッドの伸縮運動をモップロッドの回転運動に変えるための駆動機構が設けられ、
前記モップバケツは１つ又は複数の容積体を有し、回転可能な脱水フレームを更に有し、少なくとも１つの容積体内に回転可能な脱水フレームが設けられ、前記脱水フレームの中央に中軸が設けられ、前記モップバケツには更に吸い上げ装置が設けられ、前記吸い上げ装置の吸水口は回転可能な前記脱水フレームの下方に位置し、脱水時に前記モップヘッドが脱水フレーム内に置かれ、吸い上げ装置が前記駆動機構によって駆動されて、脱水フレームが取り付けられている容積体内の水を排出する。
【０００８】
吸い上げ装置の構造、駆動機構で駆動する具体的な駆動態様及び構造は、次のようであってもよい。前記駆動機構は、底面に主動歯車が設けられた前記脱水フレームを駆動して回転させる。
【０００９】
前記吸い上げ装置は、羽根車ポンプであり、当該羽根車ポンプは、外部と連通するポンプチャンバーを有し脱水フレームが取り付けられた容積体内に位置するポンプ本体を含み、前記ポンプチャンバー内に羽根車を有し、前記羽根車の中心にポンプシャフトが設けられる。前記ポンプシャフトのヘッド部は、前記ポンプ本体の上端面まで延び、当該ポンプシャフトのヘッド部には従動歯車が設けられ、前記従動歯車は、前記主動歯車と噛み合う。
【００１０】
吸い上げ装置の構造、駆動機構で駆動する具体的な駆動態様及び構造は、次のようであってもよい。前記駆動機構は前記中軸を回転駆動し、前記中軸には歯車スリーブが設けられ、前記歯車スリーブには主動歯車が設けられる。
【００１１】
前記吸い上げ装置は、羽根車ポンプであり、当該羽根車ポンプは、外部に連通するポンプチャンバーを有し脱水フレームが取り付けられた容積体内に位置するポンプ本体を含み、前記ポンプチャンバー内に羽根車を有し、前記羽根車の中心にポンプシャフトが設けられる。前記ポンプシャフトのヘッド部は、前記ポンプ本体の上端面まで延び、当該ポンプシャフトのヘッド部には従動歯車が設けられ、前記従動歯車は、前記主動歯車と噛み合う。
【００１２】
吸い上げ装置の構造、駆動機構で駆動する具体的な駆動態様及び構造は、次のようであってもよい。前記中軸のヘッド部はヘッドスリーブで覆われ、前記駆動機構は前記ヘッドスリーブを回転駆動し、前記ヘッドスリーブに下向きに歯車スリーブが設けられ、前記歯車スリーブに主動歯車が設けられる。
【００１３】
前記吸い上げ装置は、羽根車ポンプであり、当該羽根車ポンプは、外部に連通するポンプチャンバーを有し脱水フレームが取り付けられた容積体内に位置するポンプ本体を含み、前記ポンプチャンバー内に羽根車を有し、前記羽根車の中心にポンプシャフトが設けられる。前記ポンプシャフトのヘッド部は、前記ポンプ本体の上端面まで延び、当該ポンプシャフトのヘッド部には従動歯車が設けられ、前記従動歯車は、前記主動歯車と噛み合う。
【００１４】
吸い上げ装置の構造、駆動機構で駆動する具体的な駆動態様と構造は、次のようであってもよい。前記駆動機構は前記脱水フレームを回転駆動する。前記吸い上げ装置は、脱水フレームの底面に設けられたスレッドブッシュを含み、前記中軸の外側は前記スレッドブッシュで覆われ、前記スレッドブッシュの外側は更に吸い上げスリーブで覆われ、前記吸い上げスリーブの下端は前記モップバケツと接続される。
【００１５】
前記吸い上げスリーブには、前記脱水フレームの下方に位置する吸い上げ孔が設けられている。
【００１６】
吸い上げ装置の構造、駆動機構で駆動する具体的な駆動態様と構造は、次のようであってもよい。前記駆動機構は前記中軸を回転駆動する。前記吸い上げ装置は、中軸に設けられたスレッドブッシュを含み、前記スレッドブッシュの外側は更に吸い上げスリーブで覆われ、前記吸い上げスリーブの下端は前記モップバケツと接続される。
【００１７】
前記吸い上げスリーブには、前記脱水フレームの下方に位置する吸い上げ孔が設けられている。
【００１８】
吸い上げ装置の構造、駆動機構で駆動する具体的な駆動態様と構造は、次のようであってもよい。前記中軸のヘッド部はヘッドスリーブで覆われ、前記駆動機構は前記ヘッドスリーブを回転駆動する。
【００１９】
吸い上げ装置は、前記ヘッドスリーブに下向きに設けられたスレッドブッシュを含み、前記スレッドブッシュの外側は更に吸い上げスリーブで覆われ、前記吸い上げスリーブの下端は前記モップバケツと接続される。
【００２０】
前記吸い上げスリーブには、前記脱水フレームの下方に位置する吸い上げ孔が設けられる。
【００２１】
さらに洗浄バケツが含まれ、前記洗浄バケツ内には洗浄カゴが設けられ、前記洗浄カゴの中央には洗浄回転軸が設けられ、当該洗浄カゴが前記洗浄回転軸によって前記洗浄バケツ内に取り付けられる。
【００２２】
さらに洗浄脱水バケツが含まれ、前記洗浄脱水バケツ内にも前記脱水フレームと吸い上げ装置とが設けられる。
【００２３】
前記モップバケツの吸い上げ装置は、前記洗浄脱水バケツ内に水を排出することが可能で、前記洗浄脱水バケツの吸い上げ装置は、脱水フレームが取り付けられている容積体内に水を排出することが可能である。
【００２４】
本発明の他の１の技術的思想は、次の通りである。
【００２５】
モップバケツと、モップロッドとを有する清掃用具であって、
前記モップロッドの下端に、ワイピング部品を装着可能なモップヘッドが設けられ、
前記モップロッドは、互いにスリーブ接続する内ロッドと外ロッドとを有し、前記の内ロッドと外ロッドとの間にモップロッドの伸縮運動をモップロッドの回転運動に変えるための駆動機構が設けられ、
前記モップバケツは１つ又は複数の容積体を有し、回転可能な脱水フレームを更に有し、少なくとも１つの容積体内に回転可能な脱水フレームが設けられ、前記脱水フレームの中央に中軸が設けられ、前記モップバケツには更に吸い上げポンプが設けられ、前記吸い上げポンプの吸水口は前記回転可能な脱水フレームの下方に位置し、前記モップバケツに、前記吸い上げポンプを作動させるか否かを制御するスイッチが設けられ、吸い上げポンプが作動して、脱水フレームが取り付けられている容積体内の水を排出する。
【００２６】
具体的に、前記スイッチは、前記脱水フレームの下方に位置する水位スイッチであり、当該水位スイッチは、脱水フレームが取り付けられている容積体内に位置する。または、前記スイッチは、前記脱水フレームの下方に位置するフロートスイッチであり、当該フロートスイッチは、脱水フレームが取り付けられている容積体内に位置する。
【００２７】
さらに洗浄バケツが含まれ、前記洗浄バケツ内には洗浄カゴが設けられ、前記洗浄カゴの中央には洗浄回転軸が設けられ、当該洗浄カゴは前記洗浄回転軸によって前記洗浄バケツ内に取り付けられる。
【００２８】
さらに洗浄脱水バケツが含まれ、前記洗浄脱水バケツ内に前記脱水フレームと、吸い上げポンプと、スイッチと、が設けられる。
【００２９】
前記モップバケツの吸い上げポンプは、前記洗浄脱水バケツ内に水を排出することが可能で、前記洗浄脱水バケツの吸い上げポンプは、脱水フレームが取り付けられている容積体内に水を排出することが可能である。
【００３０】
本発明の他の１の技術的思想では、脱水フレームを有さず、脱水時に直接に中軸で回転脱水するものであり、具体的に次の３つの手段がある。
【００３１】
１．モップヘッドによって吸い上げ装置を駆動し水を吸い上げる。
【００３２】
モップバケツと、モップロッドとを有する清掃用具であって、
前記モップロッドの下端に、ワイピング部品を装着可能なモップヘッドが設けられ、
前記モップロッドは、互いにスリーブ接続する内ロッドと外ロッドとを有し、前記の内ロッドと外ロッドとの間にモップロッドの伸縮運動をモップロッドの回転運動に変えるための駆動機構が設けられ、
前記モップバケツは１つ又は複数の容積体を有し、少なくとも１つの容積体内に回転軸が設けられ、前記回転軸に回転盤が設けられ、脱水時に前記モップヘッドが前記回転軸の上端に置かれ、モップヘッドが回転によって脱水され、前記回転盤には前記モップヘッドに対抗するストッパーバーが設けられ、前記モップヘッドによって前記回転盤が回転駆動され、
前記モップバケツには更に吸い上げ装置が設けられ、モップヘッドが前記回転軸の上端に置かれる時、前記吸い上げ装置の吸水口は前記モップヘッドの下方に位置し、吸い上げ装置は脱水時に前記回転盤によって駆動され、回転軸が設けられている容積体内の水を排出する。
【００３３】
２．ヘッドスリーブによって吸い上げ装置を駆動する。
【００３４】
モップバケツと、モップロッドとを有する清掃用具であって、
前記モップロッドの下端に、ワイピング部品を装着可能なモップヘッドが設けられ、
前記モップロッドは、互いにスリーブ接続する内ロッドと外ロッドとを有し、前記の内ロッドと外ロッドとの間にモップロッドの伸縮運動をモップロッドの回転運動に変えるための駆動機構が設けられ、
前記モップバケツは１つ又は複数の容積体を有し、少なくとも１つの容積体内に回転軸が設けられ、前記回転軸の上端がヘッドスリーブで覆われ、脱水時に前記モップヘッドが前記ヘッドスリーブに置かれ、モップヘッドが回転によって脱水され、前記駆動機構によって前記ヘッドスリーブが回転駆動され、
前記モップバケツには更に吸い上げ装置が設けられ、モップヘッドが前記ヘッドスリーブに置かれる時、前記吸い上げ装置の吸水口は前記モップヘッドの下方に位置し、吸い上げ装置は脱水時に前記ヘッドスリーブによって駆動され、回転軸が設けられている容積体内の水を排出する。
【００３５】
３．回転軸によって吸い上げ装置を駆動する。
【００３６】
モップバケツと、モップロッドとを有する清掃用具であって、
前記モップロッドの下端に、ワイピング部品を装着可能なモップヘッドが設けられ、
前記モップロッドは、互いにスリーブ接続する内ロッドと外ロッドとを有し、前記の内ロッドと外ロッドとの間にモップロッドの伸縮運動をモップロッドの回転運動に変えるための駆動機構が設けられ、
前記モップバケツは１つ又は複数の容積体を有し、少なくとも１つの容積体内に回転軸が設けられ、脱水時に前記モップヘッドが前記回転軸の上端に置かれ、モップヘッドが回転によって脱水され、前記駆動機構によって前記回転軸が回転駆動され、
前記モップバケツには更に吸い上げ装置が設けられ、モップヘッドが前記回転軸の上端に置かれる時、前記吸い上げ装置の吸水口は前記モップヘッドの下方に位置し、吸い上げ装置は脱水時に前記回転軸によって駆動され、回転軸が設けられる容積体内の水を排出する。
【００３７】
洗浄バケツ及び洗浄脱水バケツを有しない場合、モップのモップヘッドを脱水フレーム内に置くと、洗浄だけでなく脱水も行うことができる。脱水時に、脱水フレームが取り付けられている容積体内には水がなく、モップのモップヘッドを脱水フレーム内に置いて、従来技術と同様に、モップロッドを押せば、脱水フレームとモップヘッドとが回転して脱水される。振り出された水は、脱水フレームが取り付けられている容積体内に溜められる。吸い上げ装置は駆動機構によって駆動され、吸い上げ装置によって、脱水フレームが取り付けられている容積体内の水が吸い上げられる。このようにすれば、バケツ本体の高さを低減することができ、従来技術におけるバケツ本体とは異なり、脱水フレームの下方に貯水スペースを設ける必要がなくなる。
【００３８】
洗浄時には、脱水フレームが取り付けられている容積体内に注水され、モップのモップヘッドを直接に脱水フレーム内に置くと、モップヘッドは水に浸され、従来技術と同様に、モップロッドを押せば、モップヘッドと脱水フレームとを回転させて洗浄を実現できる。同時に、洗浄時には、吸い上げ装置が駆動機構によって駆動され、吸い上げ装置によって、脱水フレームが取り付けられている容積体内の水が吸い上げられて、洗浄後の脱水を実現できる。
【００３９】
バケツ本体及び洗浄バケツを有する場合、上記のように、脱水フレームが取り付けられている容積体内で脱水及び洗浄を行うことができ、吸い上げ装置によって、脱水フレームが取り付けられている容積体内の水を洗浄バケツ内に汲み出すことができる。洗浄バケツ内で洗浄ができ、モップのモップヘッドを直接に洗浄カゴ内に置くと、モップヘッドが水に浸され、従来技術と同様に、モップロッドを押せば、洗浄カゴとモップヘッドとを回転させて洗浄を実現できる。洗浄バケツ内の水がモップバケツ内から移され、水を節約することができる。
【００４０】
バケツ本体及び洗浄脱水バケツを有する場合、脱水フレームが取り付けられる２つの同じ容積体が設けられることと同等である。脱水フレームが取り付けられている容積体内と洗浄脱水バケツ内のいずれにおいても脱水と洗浄とを行うことができる。脱水フレームが取り付けられている容積体内の水を洗浄脱水バケツ内に移すことができ、洗浄脱水バケツ内の水を脱水フレームが取り付けられている容積体内に移すことができる。
【００４１】
本発明の他の動作原理は、上記の動作原理に類似しており、吸い上げに吸い上げポンプが用いられ、スイッチによって吸い上げポンプを作動させるか否かが実現されるにすぎない。
【００４２】
脱水フレームを有しない場合も、モップヘッドは同様に回転脱水が可能であり、脱水フレームによる束縛がないだけにすぎない。
【発明の効果】
【００４３】
本発明の有益な効果として、従来技術のバケツ本体のように脱水フレームの下方に貯水スペースを設ける必要がなくなるため、バケツ本体の高さを低減し、フラットモップのモップヘッドの長さをそれに応じて増やすことができ、フラットモップとバケツとを組合せて使用することにより適している。
【図面の簡単な説明】
【００４４】
【図１】モップの構造模式図である。
【図２】実施例１における構造模式図である。
【図３】実施例１における脱水フレームによって駆動される吸い上げ装置の構造の模式図である。
【図４】実施例１における吸い上げ装置の内部構造図である。
【図５】フラットモップのモップヘッドを脱水フレーム内に置いた状態の模式図である。
【図６】複数の容積体を有するモップバケツの構造模式図である。
【図７】その他の貯水方式の構造模式図である。
【図８】実施例２における中軸によって駆動される吸い上げ装置の構造の模式図である。
【図９】実施例３におけるヘッドスリーブによって駆動される吸い上げ装置の構造の模式図である。
【図１０】実施例４における脱水フレームによって駆動される他の１の吸い上げ装置の構造の模式図である。
【図１１】他の１の吸い上げ装置の内部構造図である。
【図１２】実施例５における中軸によって駆動される他の１の吸い上げ装置の構造の模式図である。
【図１３】実施例６におけるヘッドスリーブによって駆動される他の１の吸い上げ装置が構造の模式図である。
【図１４】実施例７における洗浄バケツを有する本発明の構造模式図である。
【図１５】実施例８における洗浄脱水バケツを有する本発明の構造模式図である。
【図１６】実施例９における吸い上げポンプを用いる本発明の構造模式図である。
【図１７】実施例１４の構造模式図である。
【図１８】実施例１５の構造模式図である。
【図１９】実施例１６の構造模式図である。
【発明を実施するための形態】
【００４５】
次に、図面と具体的な実施形態とを関連付けて本発明について更に詳細に説明する。
【００４６】
＜実施例１＞
図１から図７を参照すると、清掃用具は、モップバケツ１と、モップロッド２とを有し、前記モップロッド２の下端に、ワイピング部品を装着可能なモップヘッド３が設けられる。
【００４７】
前記モップロッド２は、互いにスリーブ接続する内ロッドと外ロッドとを有し、モップヘッド３が内ロッドの下端に接続され、前記の内ロッドと外ロッドとの間にモップロッドの伸縮運動を内ロッドの回転運動に変えるための駆動機構４が設けられる（内ロッドを上に位置させ、外ロッドを下に位置させた場合、モップヘッドは外ロッドの下端に接続され、モップロッドの伸縮運動が外ロッドの回転運動に変わる。ただし、内ロッドが上に位置し外ロッドが下に位置する構造は、実際にはあまり用いられない）。駆動機構４の具体的な構造形態は、この分野における通常の技術であるため、ここでは説明を省略する。
【００４８】
前記モップバケツ１は１つ又は複数の容積体を有し、回転可能な脱水フレーム５を更に含む。少なくとも１つの容積体内に回転可能な脱水フレーム５が設けられ、前記脱水フレーム５の中央に中軸６が設けられる。本実施例において、モップバケツ１は１つだけ容積体を有する。モップバケツ１自体が容積体である。
【００４９】
前記モップバケツ１には更に吸い上げ装置が設けられ、前記吸い上げ装置の吸水口は回転可能な前記脱水フレーム５の下方に位置し、脱水時に前記モップヘッド３が脱水フレーム５内に置かれ、吸い上げ装置は、前記駆動機構４によって駆動され、脱水フレーム５が取り付けられるモップバケツ１内の水を排出する。
【００５０】
本実施例において、吸い上げ装置の構造、駆動機構で駆動する具体的な駆動態様及び構造は、次の通りである。
【００５１】
前記駆動機構は前記脱水フレーム５を回転駆動し、更に脱水フレーム５は吸い上げ装置を作動させる。前記脱水フレーム５の底面には、主動歯車７が設けられる。前記吸い上げ装置は、羽根車ポンプである。当該羽根車ポンプは、外部に連通するポンプチャンバーを有するポンプ本体８を含み、前記ポンプチャンバー内に羽根車９を有し、前記羽根車９の中心にポンプシャフトが設けられる。前記ポンプシャフトのヘッド部は、前記ポンプ本体８の上端面まで延び、当該ポンプシャフトのヘッド部には従動歯車１０が設けられ、前記従動歯車１０が前記主動歯車７と噛み合う。脱水フレーム５を回転させると、主動歯車７が回転させられ、それによって従動歯車１０によりポンプシャフトと羽根車９とが回転させられ、吸い上げが実現され、吸い上げパイプ１１から水が吐出される。脱水フレーム５の回転は駆動機構によって駆動される。駆動機構で脱水フレーム５を回転させる方法は、従来の通常の技術で、従来の清掃用具はいずれも当該機能を実現できるため、ここでは説明を省略する。
【００５２】
水をきれいに排出するため、前記吸い上げ装置を前記モップバケツ１の底部に配置し、すなわちポンプ本体８をモップバケツ１の底部に配置し、ポンプ本体８の底面に下向きに下延筒１２を延伸させ、下延筒１２に開孔を設けて、開孔から水を排出するようにしてもよい。下延筒１２を設けることで、より徹底して水を排出できる。吸い上げパイプ１１は、モップバケツ１の上端から延伸させられてもよく、図７に示すようにモップバケツ１の底部から直接延伸させられ、モップバケツ１の側壁の底部に排水口が設けられ、排水口内に栓１４が設けられ、吸い上げをしない時は栓１４を用いて排水口を塞ぐようにしてもよい。
【００５３】
本実施例では、羽根車ポンプを用いているが、歯車ポンプ、容積ポンプ等の形態も無論用いることができる。歯車ポンプ、容積ポンプ等の形態を採用する場合にも、本実施例に記載するように、脱水フレーム５を回転させて、伝動機構によって動力をポンプ内に伝えることができる。伝動機構の形態には、本実施例における前記歯車伝動機構を用いてもよく、他の動力伝動機構を用いてもよい。このような伝動機構の設計は、この分野の技術者が簡単に実現できるものであるため、ここでは説明を省略する。
【００５４】
本実施例では、羽根車ポンプを用いるため、吸い上げ装置がバケツ本体内に位置する。無論、自吸式ポンプ等を用いてもよく、この場合には、吸い上げ装置をバケツ本体外に取り付けることができる。
【００５５】
本実施例において、モップバケツ１は容積体を１つだけ有するが、無論、モップバケツは複数の容積体１３を有してもよい。図６に示すように、少なくとも１つの容積体１３内に回転可能な脱水フレーム５が設けられ、吸い上げ装置を用いて、脱水フレーム５が取り付けられている容積体内の水が排出される。
【００５６】
使用時に、モップのモップヘッド３を脱水フレーム５内に置けば、洗浄だけでなく脱水も行うことができる。図５には、フラットモップを使用する場合の状況が示されているが、無論、円盤状モップヘッドのモップにも使用可能である。脱水時に、モップバケツ１には水がなく、モップのモップヘッド３を脱水フレーム５内に置いて、従来技術と同様に、モップロッドを押せば、脱水フレーム５とモップヘッド３とが回転して脱水される。振り出された水はモップバケツ１内に溜められる。吸い上げ装置が駆動機構によって駆動され、吸い上げ装置によってモップバケツ１内の水が排出される。このようにすれば、バケツ本体の高さを低減することができ、従来技術におけるバケツ本体のように脱水フレーム５の下方に貯水スペースを設ける必要もない。
【００５７】
洗浄時には、モップバケツ１に注水して、モップのモップヘッド３を脱水フレーム５内に直接置くと、モップヘッド３が水に浸され、従来技術と同様に、モップロッドを押せば、モップヘッド３と脱水フレーム５とが回転し、洗浄が実現される。また、洗浄時に、吸い上げ装置を駆動機構によって駆動して、吸い上げ装置によってモップバケツ１内の水を排出し、洗浄後の脱水を実現することができる。
【００５８】
＜実施例２＞
図１及び図８を参照すると、本実施例において、吸い上げ装置の構造、駆動機構で駆動する具体的な駆動態様及び構造は、次の通りである。
【００５９】
前記駆動機構４は前記中軸６を回転駆動し、更に中軸６は吸い上げ装置を作動させる。前記中軸６には歯車スリーブ１５が設けられ、前記歯車スリーブ１５には主動歯車７が設けられる。前記吸い上げ装置は、羽根車ポンプである。当該羽根車ポンプは、外部に連通するポンプチャンバーを有しモップバケツ１内に位置するポンプ本体８を含み、前記ポンプチャンバー内に羽根車を有し、前記羽根車の中心にポンプシャフトが設けられる。前記ポンプシャフトのヘッド部は、前記ポンプ本体の上端面まで延び、当該ポンプシャフトのヘッド部には従動歯車１０が設けられ、前記従動歯車１０は前記主動歯車７と噛み合う。中軸６を回転させると、主動歯車７が回転させられ、それによって従動歯車１０によりポンプシャフトと羽根車とが回転させられ、吸い上げが実現され、吸い上げパイプ１１から水が吐出される。中軸６の回転は駆動機構４によって駆動される。駆動機構４で中軸を回転させる方法は従来技術である。例えば、中軸６のヘッド部にはヘッドスリーブ１６が設けられ、モップヘッド３の背面に溝が設けられ、溝がヘッドスリーブ１６内に嵌められ、モップヘッド３がモップロッドの内ロッドに連結され、モップロッドを押すことによって、モップロッドの内ロッドがモップヘッド３を回転させ、モップヘッド３がヘッドスリーブ１６と中軸６とを回転させる。または、中軸６と脱水フレームとを一体化し、脱水フレームの回転により中軸６を回転させる。中軸６が回転する時には、モップバケツの底面にソケットスリーブ１７が設けられ、中軸６がソケットスリーブ１７内に挿入され、ソケットスリーブ１７の底部に鋼球が設けられることが好ましい。中軸６の下端が鋼球に当たることで、回転がよりスムーズとなり、かつ中軸６の回転過程がより安定する。
【００６０】
その他の構造と実施形態は実施例１と同様であるため、ここでは説明を省略する。
【００６１】
＜実施例３＞
図１及び図９を参照すると、本実施例において、吸い上げ装置の構造、駆動機構で駆動する具体的な駆動態様と構造は、次の通りである。
【００６２】
前記中軸６のヘッド部をヘッドスリーブ１６で覆い、前記駆動機構は前記ヘッドスリーブ１６を回転駆動し、更にヘッドスリーブ１６は吸い上げ装置を作動させる。前記ヘッドスリーブ１６には下向きに歯車スリーブ１５が設けられ、前記歯車スリーブ１５には主動歯車７が設けられる。前記吸い上げ装置は、羽根車ポンプである。当該羽根車ポンプは、外部に連通するポンプチャンバーを有しモップバケツ内に位置するポンプ本体８を含み、前記ポンプチャンバー内に羽根車を有し、前記羽根車の中心にポンプシャフトが設けられる。前記ポンプシャフトのヘッド部は、前記ポンプ本体の上端面まで延び、当該ポンプシャフトのヘッド部には従動歯車１０が設けられ、前記従動歯車１０は前記主動歯車７と噛み合う。ヘッドスリーブ１６を回転させると、主動歯車７が回転させられ、それによって従動歯車１０によりポンプシャフトと羽根車とが回転させられ、吸い上げが実現され、吸い上げパイプ１１から水が吐出される。ヘッドスリーブ１６の回転は駆動機構４によって駆動される。駆動機構４でヘッドスリーブを回転させる方法は従来技術である。従来技術では、中軸６に通常ヘッドスリーブ１６が設けられ、例えば、モップヘッド３の背面に溝が設けられ、溝がヘッドスリーブ１６内に嵌められ、モップヘッド３がモップロッドの内ロッドに連結され、モップロッドを押すことによって、モップロッドの内ロッドがモップヘッド３を回転させ、モップヘッド３がヘッドスリーブ１６を回転させる。
【００６３】
その他の構造と実施形態は実施例１と同様であるため、ここでは説明を省略する。
【００６４】
＜実施例４＞
図１、図１０及び図１１を参照すると、本実施例において、吸い上げ装置の構造、駆動機構で駆動する具体的な駆動態様と構造は、次の通りである。
【００６５】
前記駆動機構４は前記脱水フレーム５を回転駆動し、更に脱水フレーム５は吸い上げ装置を作動させる。前記吸い上げ装置は、脱水フレーム５の底面に設けられたスレッドブッシュ１８を含む。前記スレッドブッシュ１８は前記中軸６の外側を覆い、前記スレッドブッシュ１８の外側は更に吸い上げスリーブ１９で覆われ、前記吸い上げスリーブ１９の下端は前記モップバケツと接続される。前記吸い上げスリーブ１９には、前記脱水フレーム５の下方に位置する吸い上げ孔２０が設けられる。水をきれいに排出するため、吸い上げ孔２０は吸い上げスリーブ１９の末端部に設けられる。
【００６６】
脱水フレーム５を回転させると、スレッドブッシュ１８が回転させられる。スレッドブッシュ１８が回転すると、吸い上げ孔２０から吸い上げスリーブ１９内へと水の吸い上げが実現され、吸い上げパイプ１１から水を吐出することができる。脱水フレーム５の回転は駆動機構４によって駆動される。駆動機構４で脱水フレーム５を回転させる方法は従来技術であり、従来の清掃用具はいずれも当該機能を実現できるため、ここでは説明を省略する。
【００６７】
その他の構造と実施形態は実施例１と同様であるため、ここでは説明を省略する。
【００６８】
＜実施例５＞
図１及び図１２を参照すると、本実施例において、吸い上げ装置の構造、駆動機構で駆動する具体的な駆動態様と構造は、次の通りである。
【００６９】
前記駆動機構４は前記中軸６を回転駆動し、更に中軸６は吸い上げ装置を作動させる。前記吸い上げ装置は、中軸６に設けられたスレッドブッシュを含む。前記スレッドブッシュの外側は更に吸い上げスリーブ１９で覆われ、前記吸い上げスリーブ１９の下端は前記モップバケツと接続される。前記吸い上げスリーブ１９には、前記脱水フレームの下方に位置する吸い上げ孔２０が設けられる。水をきれいに排出するため、吸い上げ孔２０は吸い上げスリーブの末端部に設けられる。
【００７０】
中軸６を回転させると、スレッドブッシュが回転させられる。スレッドブッシュが回転すると、吸い上げ孔２０から吸い上げスリーブ１９内へと水の吸い上げが実現され、吸い上げパイプ１１から水を吐出することができる。中軸６の回転は駆動機構４によって駆動される。駆動機構４で中軸を回転させる方法は従来技術である。例えば、中軸６のヘッド部にはヘッドスリーブ１６が設けられ、モップヘッド３の背面に溝が設けられ、溝がヘッドスリーブ１６内に嵌められ、モップヘッド３がモップロッドの内ロッドに連結され、モップロッドを押すことにより、モップロッドの内ロッドがモップヘッド３を回転させ、モップヘッド３がヘッドスリーブ１６と中軸６とを回転させる。または、中軸６と脱水フレームとを一体化し、脱水フレームの回転により中軸６を回転させる。中軸６が回転する時には、モップバケツの底面にソケットスリーブ１７が設けられ、中軸６がソケットスリーブ１７内に挿入され、ソケットスリーブ１７の底部に鋼球が設けられることが好ましい。中軸６の下端が鋼球に当たることで、回転がよりスムーズとなり、かつ中軸６の回転過程がより安定する。
【００７１】
その他の構造と実施形態は実施例１と同様であるため、ここでは説明を省略する。
【００７２】
＜実施例６＞
図１及び図１３を参照すると、本実施例において、吸い上げ装置の構造、駆動機構で駆動する具体的な駆動態様と構造は、次の通りである。
【００７３】
前記中軸６のヘッド部をヘッドスリーブ１６で覆い、前記駆動機構４は前記ヘッドスリーブ１６を回転駆動し、更にヘッドスリーブ１６で吸い上げ装置を作動させる。前記吸い上げ装置は、ヘッドスリーブ１６に設けられたスレッドブッシュを含む。前記スレッドブッシュの外側は更に吸い上げスリーブ１９で覆われ、前記吸い上げスリーブ１９の下端は前記モップバケツと接続される。前記吸い上げスリーブ１９には、前記脱水フレームの下方に位置する吸い上げ孔２０が設けられる。水をきれいに排出するため、吸い上げ孔２０は吸い上げスリーブの末端部に設けられる。
【００７４】
ヘッドスリーブ１６を回転させると、スレッドブッシュが回転させられる。スレッドブッシュが回転すると、吸い上げ孔２０から吸い上げスリーブ１９内へと水の吸い上げが実現され、吸い上げパイプ１１から水を吐出することができる。ヘッドスリーブ１６の回転は駆動機構４によって駆動される。駆動機構４でヘッドスリーブ１６を駆動して回転させる方法は従来技術である。従来技術では、中軸６に通常ヘッドスリーブ１６が設けられ、例えば、モップヘッド３の背面に溝が設けられ、溝がヘッドスリーブ１６内に嵌められ、モップヘッド３がモップロッドの内ロッドに連結され、モップロッドを押すことによって、モップロッドの内ロッドがモップヘッド３を回転させ、モップヘッド３がヘッドスリーブ１６を回転させる。
【００７５】
その他の構造と実施形態は実施例１と同様であるため、ここでは説明を省略する。
【００７６】
＜実施例７＞
図１及び図１４を参照すると、洗浄バケツ２１が更に含まれ、前記洗浄バケツ２１内には洗浄カゴ２２が設けられ、前記洗浄カゴ２２の中央に洗浄回転軸が設けられ、当該洗浄カゴ２２が前記洗浄回転軸によって前記洗浄バケツ２１内に取り付けられる。洗浄カゴ２２と洗浄回転軸との間の連結関係や、洗浄回転軸と洗浄バケツ２１との間の連結関係は、いずれも従来の通常の技術であるため、ここでは説明を省略する。
【００７７】
前述した通り、モップバケツ１内で脱水と洗浄とを行うことができ、吸い上げ装置でモップバケツ１内の水を洗浄バケツ２１内に排出して、洗浄バケツ２１内で洗浄することができる。モップのモップヘッド３を洗浄カゴ２２内に直接置くと、モップヘッドが水に浸され、従来技術と同様に、モップロッドを押せば、洗浄カゴ２２とモップヘッド３とが回転し、洗浄が実現される。洗浄バケツ２１内の水がモップバケツ１内から移され、水を節約することができる。
【００７８】
その他の構造と実施形態は実施例１から実施例６のいずれかと同様であるため、ここでは説明を省略する。
【００７９】
＜実施例８＞
図１及び図１５を参照すると、洗浄脱水バケツ２３が更に含まれ、前記洗浄脱水バケツ２３内に脱水フレーム５と吸い上げ装置とが設けられる。前記モップバケツ１の吸い上げ装置は前記洗浄脱水バケツ２３内に水を排出することが可能で、前記洗浄脱水バケツ２３の吸い上げ装置はモップバケツ１内に水を排出することが可能である。
【００８０】
本実施例では、同じモップバケツが２つ設けられることと同じことであり、モップバケツ１及び洗浄脱水バケツ２３のいずれでも脱水と洗浄とを行うことができる。モップバケツ１内の水を洗浄脱水バケツ２３内に移すことができ、洗浄脱水バケツ２３内の水をモップバケツ１内に移すことができる。
【００８１】
その他の構造と実施形態は実施例１から実施例６のいずれかと同様であるため、ここでは説明を省略する。
【００８２】
＜実施例９＞
前述の実施例はいずれも機械的に吸い上げ装置を駆動して水の吸い上げを行うものであるが、本実施例では、水の吸い上げに吸い上げポンプが用いられ、スイッチによって、吸い上げポンプの作動／非作動が実現される。
【００８３】
図１及び図１６を参照すると、清掃用具は、モップバケツ１と、モップロッド２とを有する。前記モップロッド２の下端に、ワイピング部品を装着可能なモップヘッド３が設けられる。
【００８４】
前記モップロッド２は、互いにスリーブ接続する内ロッドと外ロッドとを有し、モップヘッド３は内ロッドの下端に接続され、前記の内ロッドと外ロッドとの間にモップロッドの伸縮運動を内ロッドの回転運動に変えるための駆動機構４が設けられる（内ロッドを上に位置させ、外ロッドを下に位置させた場合、モップヘッドは外ロッドの下端に接続されて、モップロッドの伸縮運動が外ロッドの回転運動に変わる。ただし、内ロッドが上に位置し外ロッドが下に位置する構造は、実際にはあまり用いられない）。駆動機構４の具体的な構造形態は、この分野における通常の技術であるため、ここでは説明を省略する。
【００８５】
前記モップバケツ１は１つ又は複数の容積体を有し、回転可能な脱水フレーム５を更に含む、少なくとも１つの容積体内に回転可能な脱水フレーム５が設けられ、前記脱水フレーム５の中央に中軸６が設けられる。本実施例において、モップバケツ１は１つだけ容積体を有する。モップバケツ１自体が容積体である。
【００８６】
前記モップバケツ１には更に吸い上げポンプ２４が設けられ、前記吸い上げポンプ２４の吸水口は回転可能な前記脱水フレーム５の下方に位置し、前記モップバケツ１に、前記吸い上げポンプ２４を作動させるか否かを制御するスイッチが設けられ、吸い上げポンプ２４が作動して、モップバケツ１内の水を排出する。徹底して水を排出するために、前記吸い上げポンプは前記モップバケツ１の底部に配置される。
【００８７】
本実施例では、前記スイッチは、前記脱水フレーム５の下方に位置する水位スイッチ２５であり、当該水位スイッチ２５はモップバケツ１内に位置する。水位スイッチが取り付けられるため、モップバケツ１内では脱水のみを行うことができる。脱水時には、水位が水位スイッチまで上昇した後に、水位スイッチ２５が吸い上げポンプに吸い上げを開始するようにコマンドを出し、吸い上げパイプ１１から水を吐出することができる。
【００８８】
本実施例では、吸い上げポンプ２４がバケツ本体内に位置する。無論、自吸式ポンプ等を用いてもよく、この場合には、吸い上げポンプ２４をバケツ本体外に取り付けることができる。
【００８９】
本実施例において、モップバケツ１は容積体を１つだけ有するが、無論、モップバケツ１は複数の容積体を有してもよい。少なくとも１つの容積体内に回転可能な脱水フレームが設けられ、吸い上げポンプを用いて、脱水フレームが取り付けられている容積体内の水が排出される。
【００９０】
＜実施例１０＞
前記スイッチは、前記脱水フレームの下方に位置するフロートスイッチであり、当該フロートスイッチは、脱水フレームが取り付けられている容積体内に位置する。フロートスイッチが取り付けられるため、モップバケツ内では脱水のみを行うことができる。脱水時には、水位がフロートスイッチまで上昇した後に、フロートスイッチが吸い上げポンプに吸い上げを開始するようコマンドを出す。
【００９１】
その他の構造と実施形態は実施例９と同様である。
【００９２】
＜実施例１１＞
前記スイッチは、モップバケツ外壁上に位置する通常の電気スイッチである。モップバケツ内で、脱水だけでなく洗浄も行うことができる。通常の電気スイッチを直接操作することで、吸い上げポンプを起動して水を吸い上げる。
【００９３】
その他の構造と実施形態は実施例９と同様である。
【００９４】
＜実施例１２＞
洗浄バケツが更に含まれ、前記洗浄バケツ内には洗浄カゴが設けられ、前記洗浄カゴの中央に洗浄回転軸が設けられ、当該洗浄カゴが前記洗浄回転軸によって前記洗浄バケツ内に取り付けられる。
【００９５】
洗浄バケツ内で洗浄ができ、モップのモップヘッドを洗浄カゴ内に直接置くと、モップヘッドが水に浸され、従来技術と同様に、モップロッドを押せば、洗浄カゴとモップヘッドとが回転し、洗浄が実現される。洗浄バケツ内の水がモップバケツ内から移され、水を節約することができる。
【００９６】
その他の構造と実施形態は実施例９から実施例１１のいずれかと同様であるため、ここでは説明を省略する。
【００９７】
＜実施例１３＞
洗浄脱水バケツが更に含まれ、前記洗浄脱水バケツ内に、前記脱水フレームと、吸い上げポンプと、スイッチとが設けられる。前記モップバケツの吸い上げポンプは前記洗浄脱水バケツ内に水を排出することが可能で、前記洗浄脱水バケツの吸い上げポンプはモップバケツ内に水を排出することが可能である。
【００９８】
本実施例では、同じモップバケツが２つ設けられることと同じことであり、モップバケツ内の水を洗浄脱水バケツ内に移すことができ、洗浄脱水バケツ内の水をモップバケツ内に移すことができる。
【００９９】
その他の構造と実施形態は実施例９から実施例１１のいずれかと同様であるため、ここでは説明を省略する。
【０１００】
＜実施例１４＞
図１及び図１７を参照すると、清掃用具は、モップバケツ１と、モップロッド２とを有する。前記モップロッド２の下端に、ワイピング部品を装着可能なモップヘッド３が設けられる。
【０１０１】
前記モップロッド２は、互いにスリーブ接続する内ロッドと外ロッドとを有し、モップヘッド３は内ロッドの下端に接続され、前記の内ロッドと外ロッドとの間にモップロッドの伸縮運動を内ロッドの回転運動に変えるための駆動機構４が設けられる（内ロッドを上に位置させ、外ロッドを下に位置させた場合、モップヘッドは外ロッドの下端に接続されて、モップロッドの伸縮運動が外ロッドの回転運動に変わる。ただし、内ロッドが上に位置し外ロッドが下に位置する構造は、実際にはあまり用いられない）。駆動機構４の具体的な構造形態は、この分野における通常の技術であるため、ここでは説明を省略する。
【０１０２】
前記モップバケツ１は１つ又は複数の容積体を有する。本実施例では、モップバケツ１は１つだけ容積体を有する。モップバケツ１自体が容積体である。モップバケツ１内には回転軸２６が設けられ、回転軸２６には回転盤２７が設けられ、脱水時には前記モップヘッド３が前記回転軸２６の上端に置かれ、モップヘッド３が回転によって脱水される。前記回転盤２７には前記モップヘッド３に対抗するストッパーバー２８が設けられ、前記モップヘッド３によって前記回転盤２７が回転駆動される。
【０１０３】
前記モップバケツには更に吸い上げ装置が設けられ、モップヘッド３が前記回転軸の上端に置かれる時、前記吸い上げ装置の吸水口は前記モップヘッド３の下方に位置し、吸い上げ装置は、脱水時に前記回転盤２７によって駆動され、モップバケツ１内の水を排出する。
【０１０４】
本実施例において、吸い上げ装置の具体的な構造、回転盤の具体的な駆動態様は、次の通りである。前記回転盤２７の底面に主動歯車７が設けられる。前記吸い上げ装置は、羽根車ポンプである。当該羽根車ポンプは、外部に連通するポンプチャンバーを有するポンプ本体８を含み、前記ポンプチャンバー内に羽根車を有し、前記羽根車の中心にポンプシャフトが設けられる。前記ポンプシャフトのヘッド部は、前記ポンプ本体８の上端面まで延び、当該ポンプシャフトのヘッド部には従動歯車１０が設けられ、前記従動歯車１０が前記主動歯車７と噛み合う。回転盤２７を回転させると、主動歯車７が回転させられ、それによって従動歯車１０によりポンプシャフトと羽根車とが回転させられ、吸い上げが実現され、吸い上げパイプ１１から水が吐出される。
【０１０５】
水をきれいに排出するため、前記吸い上げ装置を前記モップバケツ１の底部に配置し、すなわちポンプ本体８をモップバケツ１の底部に配置し、ポンプ本体８の底面に下向きに下延筒１２を延伸させ、下延筒１２に開孔を設けて、開孔から水を排出するようにしてもよい。下延筒１２を設けることで、より徹底して水を排出できる。吸い上げパイプ１１は、モップバケツ１の上端から延伸させられてもよく、モップバケツ１の底部から直接延伸させられ、モップバケツ１の側壁の底部に排水口が設けられ、排水口内に栓が設けられ、吸い上げをしない時は栓を用いて排水口を塞ぐようにしてもよい。
【０１０６】
本実施例では、羽根車ポンプを用いているが、歯車ポンプ、容積ポンプ等の形態も無論用いることができる。歯車ポンプ、容積ポンプ等の形態を採用する場合にも、本実施例に記載するように、回転盤を回転させて、伝動機構によって動力をポンプ内に伝えることができる。伝動機構の形態には、本実施例における前記歯車伝動機構を用いてもよく、他の動力伝動機構を用いてもよい。このような伝動機構の設計は、この分野の技術者が簡単に実現できるものであるため、ここでは説明を省略する。
【０１０７】
本実施例では、羽根車ポンプを用いるため、吸い上げ装置がバケツ本体内に位置する。無論、自吸式ポンプ等を用いてもよく、この場合には、吸い上げ装置をバケツ本体外に取り付けることができる。
【０１０８】
本実施例において、モップバケツ１は容積体を１つだけ有するが、無論、モップバケツは複数の容積体を有してもよい。少なくとも１つの容積体内に回転軸が設けられ、吸い上げ装置を用いて、回転軸が取り付けられている容積体内の水が排出される。
【０１０９】
脱水時には、従来技術と同様に、モップロッド２を押し、モップヘッド３を回転させれば、脱水を実現することができ、吸い上げ装置によってモップバケツ１内の水が排出される。このようにすれば、バケツ本体の高さを低減することができ、従来技術におけるバケツ本体のように脱水カゴの下方に貯水スペースを設ける必要もない。
【０１１０】
洗浄時には、モップバケツ１内に注水して、従来技術と同様に、モップロッドを押し、モップヘッド３を回転させれば、洗浄を実現することができる。それとともに、吸い上げ装置を駆動機構によって駆動して、吸い上げ装置によってモップバケツ１内の水を排出し、洗浄後の脱水を実現することができる。
【０１１１】
＜実施例１５＞
図１及び図１８を参照すると、清掃用具は、モップバケツ１と、モップロッド２とを有する。前記モップロッド２の下端に、ワイピング部品を装着可能なモップヘッド３が設けられる。
【０１１２】
前記モップロッド２は、互いにスリーブ接続する内ロッドと外ロッドとを有し、モップヘッド３は内ロッドの下端に接続され、前記の内ロッドと外ロッドとの間にモップロッドの伸縮運動を内ロッドの回転運動に変えるための駆動機構４が設けられる（内ロッドを上に位置させ、外ロッドを下に位置させた場合、モップヘッドは外ロッドの下端に接続されて、モップロッドの伸縮運動が外ロッドの回転運動に変わる。ただし、内ロッドが上に位置し外ロッドが下に位置する構造は、実際にはあまり用いられない）。駆動機構４の具体的な構造形態は、この分野における通常の技術であるため、ここでは説明を省略する。
【０１１３】
前記モップバケツ１は１つ又は複数の容積体を有する。本実施例では、モップバケツ１は１つだけの容積体を有する。モップバケツ１自体が容積体である。モップバケツ１内には回転軸が設けられ、前記回転軸２６の上端がヘッドスリーブ１６で覆われ、脱水時に前記モップヘッド３が前記ヘッドスリーブ１６に置かれ、モップヘッド３が回転によって脱水され、前記駆動機構によって前記ヘッドスリーブ１６が回転駆動される。
【０１１４】
前記モップバケツには更に吸い上げ装置が設けられ、モップヘッドが前記ヘッドスリーブ１６に置かれる時、前記吸い上げ装置の吸水口は前記モップヘッド３の下方に位置し、吸い上げ装置は、脱水時に前記ヘッドスリーブによって駆動され、モップバケツ内の水を排出する。
【０１１５】
本実施例において、吸い上げ装置の構造、ヘッドスリーブの具体的な駆動態様は、次の通りである。前記駆動機構は前記ヘッドスリーブ１６を回転駆動し、更にヘッドスリーブ１６は吸い上げ装置を作動させる。前記ヘッドスリーブ１６には下向きに歯車スリーブ１５が設けられ、前記歯車スリーブ１５には主動歯車７が設けられる。前記吸い上げ装置は、羽根車ポンプである。当該羽根車ポンプは、外部に連通するポンプチャンバーを有しモップバケツ内に位置するポンプ本体８を含み、前記ポンプチャンバー内に羽根車を有し、前記羽根車の中心にポンプシャフトが設けられる。前記ポンプシャフトのヘッド部は、前記ポンプ本体の上端面まで延び、当該ポンプシャフトのヘッド部に従動歯車１０が設けられ、前記従動歯車１０は前記主動歯車７と噛み合う。ヘッドスリーブ１６を回転させると、主動歯車７が回転させられ、それによって従動歯車１０によりポンプシャフトと羽根車とが回転させられ、吸い上げが実現され、吸い上げパイプ１１から水が吐出される。ヘッドスリーブ１６は駆動機構４によって回転駆動される。駆動機構４でヘッドスリーブを回転駆動させる方法は従来技術である。従来技術では、中軸６に通常ヘッドスリーブ１６が設けられ、例えば、モップヘッド３の背面に溝が設けられ、溝がヘッドスリーブ１６内に嵌められ、モップヘッド３がモップロッドの内ロッドに連結され、モップロッドを押すことにより、モップロッドの内ロッドがモップヘッド３を動かして回転させ、モップヘッド３がヘッドスリーブ１６を回転させる。
【０１１６】
水をきれいに排出するため、前記吸い上げ装置を前記モップバケツ１の底部に配置し、すなわちポンプ本体８をモップバケツ１の底部に配置し、ポンプ本体８の底面に下向きに下延筒１２を延伸させ、下延筒１２に開孔を設けて、開孔から水を排出するようにしてもよい。下延筒１２を設けることで、より徹底して水を排出できる。吸い上げパイプ１１は、モップバケツ１の上端から延伸させられてもよく、モップバケツ１の底部から直接延伸させられ、モップバケツ１の側壁の底部に排水口が設けられ、排水口内に栓が設けられ、吸い上げをしない時は栓を用いて排水口を塞ぐようにしてもよい。
【０１１７】
本実施例では、羽根車ポンプを用いているが、歯車ポンプ、容積ポンプ等の形態も無論用いることができる。歯車ポンプ、容積ポンプ等の形態を採用する場合にも、本実施例に記載するように、回転盤を回転させて、伝動機構によって動力をポンプ内に伝えることができる。伝動機構の形態には、本実施例における前記歯車伝動機構を用いてもよく、他の動力伝動機構を用いてもよい。このような伝動機構の設計は、この分野の技術者が簡単に実現できるものであるため、ここでは説明を省略する。
【０１１８】
本実施例では、羽根車ポンプを用いるため、吸い上げ装置がバケツ本体内に位置する。無論、自吸式ポンプ等を用いてもよく、この場合には、吸い上げ装置をバケツ本体外に取り付けることができる。
【０１１９】
本実施例において、モップバケツ１は容積体を１つだけ有するが、無論、モップバケツは複数の容積体を有してもよい。少なくとも１つの容積体内に回転軸が設けられ、吸い上げ装置を用いて、回転軸が取り付けられている容積体内の水が排出される。
【０１２０】
脱水時には、従来技術と同様に、モップロッド２を押し、モップヘッド３を回転させれば、脱水を実現することができ、吸い上げ装置によってモップバケツ１内の水が排出される。このようにすれば、バケツ本体の高さを低減することができ、従来技術におけるバケツ本体のように脱水カゴの下方に貯水スペースを設ける必要もない。
【０１２１】
洗浄時には、モップバケツ１内に注水して、従来技術と同様に、モップロッドを押し、モップヘッド３を回転させれば、洗浄を実現することができる。それとともに、吸い上げ装置を駆動機構によって駆動して、吸い上げ装置によってモップバケツ１内の水を排出し、洗浄後の脱水を実現することができる。
【０１２２】
＜実施例１６＞
図１及び図１９を参照すると、清掃用具は、モップバケツ１と、モップロッド２とを有する。前記モップロッド２の下端に、ワイピング部品を装着可能なモップヘッド３が設けられる。
【０１２３】
前記モップロッド２は、互いにスリーブ接続する内ロッドと外ロッドとを有し、モップヘッド３は内ロッドの下端に接続され、前記の内ロッドと外ロッドとの間にモップロッドの伸縮運動を内ロッドの回転運動に変えるための駆動機構４が設けられる（内ロッドを上に位置させ、外ロッドを下に位置させた場合、モップヘッドは外ロッドの下端に接続されて、モップロッドの伸縮運動が外ロッドの回転運動に変わる。ただし、内ロッドが上に位置し外ロッドが下に位置する構造は、実際にはあまり用いられない）。駆動機構４の具体的な構造形態は、この分野における通常の技術であるため、ここでは説明を省略する。
【０１２４】
前記モップバケツ１は１つ又は複数の容積体を有する。本実施例では、モップバケツ１は１つだけ容積体を有する。モップバケツ１自体が容積体である。モップバケツ内には回転軸が設けられ、脱水時には前記モップヘッドが前記回転軸２６の上端に置かれ、モップヘッド３が回転によって脱水される。前記駆動機構によって前記回転軸２６が回転駆動される。
【０１２５】
前記モップバケツには更に吸い上げ装置が設けられ、モップヘッドが前記回転軸２６の上端に置かれる時、前記吸い上げ装置の吸水口は前記モップヘッド３の下方に位置し、吸い上げ装置は、脱水時に前記回転軸２６によって駆動され、モップバケツ１内の水を排出する。
【０１２６】
本実施例において、吸い上げ装置の構造、すなわち回転軸の具体的な駆動態様は、次の通りである。前記回転軸２６には歯車スリーブ１５が設けられ、前記歯車スリーブ１５には主動歯車７が設けられる。前記吸い上げ装置は、羽根車ポンプである。当該羽根車ポンプは、外部に連通するポンプチャンバーを有しモップバケツ１内に位置するポンプ本体８を含み、前記ポンプチャンバー内に羽根車を有し、前記羽根車の中心にポンプシャフトが設けられる。前記ポンプシャフトのヘッド部は、前記ポンプ本体の上端面まで延び、当該ポンプシャフトのヘッド部には従動歯車１０が設けられ、前記従動歯車１０は前記主動歯車７と噛み合う。回転軸２６を回転させると、主動歯車７が回転させられ、それによって従動歯車１０によりポンプシャフトと羽根車とが回転させられ、吸い上げが実現され、吸い上げパイプ１１から水が吐出される。回転軸２６は駆動機構４によって回転駆動される。駆動機構４で回転軸を回転駆動させる方法は従来技術である。例えば、回転軸２６のヘッド部にヘッドスリーブ１６が設けられ、モップヘッド３の背面に溝が設けられ、溝がヘッドスリーブ１６内に嵌められ、モップヘッド３がモップロッドの内ロッドに連結され、モップロッドを押すことにより、モップロッドの内ロッドがモップヘッド３を動かして回転させ、モップヘッド３がヘッドスリーブ１６と回転軸２６とを回転させる。回転軸２６が回転する時には、モップバケツの底面にソケットスリーブ１７が設けられ、中軸６がソケットスリーブ１７内に挿入され、ソケットスリーブ１７の底部に鋼球が設けられることが好ましい。回転軸２６の下端が鋼球に当たることで、回転がよりスムーズとなり、かつ回転軸２６の回転過程がより安定する。
【０１２７】
水をきれいに排出するため、前記吸い上げ装置を前記モップバケツ１の底部に配置し、すなわちポンプ本体８をモップバケツ１の底部に配置し、ポンプ本体８の底面に下向きに下延筒を延伸させ、下延筒に開孔を設けて、開孔から水を排出するようにしてもよい。下延筒を設けることで、より徹底して水を排出できる。吸い上げパイプ１１は、モップバケツ１の上端から延伸させられてもよく、モップバケツ１の底部から直接延伸させられ、モップバケツ１の側壁の底部に排水口が設けられ、排水口内に栓が設けられ、吸い上げをしない時は栓を用いて排水口を塞ぐようにしてもよい。
【０１２８】
本実施例では、羽根車ポンプを用いているが、歯車ポンプ、容積ポンプ等の形態も無論用いることができる。歯車ポンプ、容積ポンプ等の形態を採用する場合にも、本実施例に記載するように、回転盤を回転させて、伝動機構によって動力をポンプ内に伝えることができる。伝動機構の形態には、本実施例における前記歯車伝動機構を用いてもよく、他の動力伝動機構を用いてもよい。このような伝動機構の設計は、この分野の技術者が簡単に実現できるものであるため、ここでは説明を省略する。
【０１２９】
本実施例では、羽根車ポンプを用いるため、吸い上げ装置がバケツ本体内に位置する。無論、自吸式ポンプ等を用いてもよく、この場合には、吸い上げ装置をバケツ本体外に取り付けることができる。
【０１３０】
本実施例において、モップバケツ１は容積体を１つだけ有するが、無論、モップバケツは複数の容積体を有してもよい。少なくとも１つの容積体内に回転軸が設けられ、吸い上げ装置を用いて、回転軸が取り付けられている容積体内の水が排出される。
【０１３１】
脱水時には、従来技術と同様に、モップロッド２を押し、モップヘッド３を回転させれば、脱水を実現することができ、吸い上げ装置によってモップバケツ１内の水が排出される。このようにすれば、バケツ本体の高さを低減することができ、従来技術におけるバケツ本体のように脱水カゴの下方に貯水スペースを設ける必要もない。
【０１３２】
洗浄時には、モップバケツ１内に注水して、従来技術と同様に、モップロッドを押し、モップヘッド３を回転させれば、洗浄を実現することができる。それとともに、吸い上げ装置を駆動機構によって駆動して、吸い上げ装置によってモップバケツ１内の水を排出し、洗浄後の脱水を実現することができる。
【先行技術文献】
【特許文献】
【０１３３】
【特許文献１】中国実用新案登録第２０１３２０２７５１５０.４号
【図１】
0006279807.tif 000002
【図２】
0006279807.tif 000003
【図３】
0006279807.tif 000004
【図４】
0006279807.tif 000005
【図５】
0006279807.tif 000006
【図６】
0006279807.tif 000007
【図７】
0006279807.tif 000008
【図８】
0006279807.tif 000009
【図９】
0006279807.tif 000010
【図１０】
0006279807.tif 000011
【図１１】
0006279807.tif 000012
【図１２】
0006279807.tif 000013
【図１３】
0006279807.tif 000014
【図１４】
0006279807.tif 000015
【図１５】
0006279807.tif 000016
【図１６】
0006279807.tif 000017
【図１７】
0006279807.tif 000018
【図１８】
0006279807.tif 000019
【図１９】
0006279807.tif 000020